(57)【要約】【課題】      くじ引き式販売促進具を提供する。【解決手段】  紐誘導凹部、上部への滑り止め部、回転持ち手部、本体軸回転部よりなる本体の上部に、多数の穴部及び穴部への紐通し切り込み部、中央紐通し部、中央紐通し部蓋及び中央紐通し部蓋受部穴からなる天板を天板支持部により本体にとりつける。地板の上に本体軸回転部受部を設け本体を乗せる。紐の片方の端に商品取り付けクリップを設け、一方の端に引っ張り部を設ける。紐の途中に弾性部材および上部への滑り止め引掛り部を設ける。紐を上部への滑り止め部、紐誘導凹部、中央紐通し部、穴部への紐通し切り込み部を通し、穴部より商品取り付けクリップを付けた紐の一方をぶら下げる。引っ張り部がついた紐の一方は本体の途中にぶら下がるようにする。本体の上部外側をカバーで囲むことを特徴とするくじ引き式販売促進具。【選択図】図１
2008097563.tif 000002
【特許請求の範囲】
【請求項１】
紐誘導凹部、上部への滑り止め部、回転持ち手部、下部にベアリングを設けた本体軸回転部よりなる本体の上部に、多数の穴部及び穴部への紐通し切り込み部、中央紐通し部、中央紐通し部蓋、中央紐通し部蓋受部穴からなる天板を天板支持部により本体にとりつけ、底部にベアリングを設けた本体軸回転部受部を地板の上に設け本体を乗せ、紐の片方の端に商品を挟むことも引っ掛けることもできる商品取り付けクリップを設け、一方の端に引っ張り部を設け、紐の途中に弾性部材および上部への滑り止め引掛り部を設け、紐を上部への滑り止め部、紐誘導凹部を通して紐を束ねてねじり、中央紐通し部、穴部への紐通し切り込み部を通し、穴部より商品取り付けクリップを付けた紐の一方をぶら下げ、引っ張り部がついた紐の一方は本体の途中にぶら下がるようにし、本体の上部外側をカバーで囲むことを特徴とするくじ引き式販売促進具。
【発明の詳細な説明】
【技術分野】
【０００１】  本発明は商品を販売するためにくじ引きをとり入れた販売促進具に関するものである。
【背景技術】
【０００２】  従来、商品は棚や箱に並べて販売しているものが多かった。くじ付きの商品は商品とくじ引き具が別に置かれているものが多かった。
【発明の開示】
【発明が解決しようとする課題】
【０００３】  そのために、次のような問題点があった。
（イ）どの商品も目立たない
（ロ）どこの店でも同じ品物は同じような価格であった
（ハ）ただ、お金を払って商品を買うだけで面白味がなかった
（ニ）売れ残ってしまう商品があった
（ホ）くじ引きは商品を別のところに置かなければならないものが多く場所をとった。
（ヘ）くじ引きは店の催事などに利用されることが多く常設されているものは少なかった。
（ト）くじ引きを引いて商品を提供されることは少なく、景品として客に提供されることが多く、直接売上の増加にはならなかった。
本発明は、これらの問題点を解決するためになされたものである。
【課題を解決するための手段】
【０００４】  紐誘導凹部（１０）、上部への滑り止め部（９）、回転持ち手部（１１）、本体軸回転部（１２）よりなる本体（８）の上部に、多数の穴部（６）、穴部への紐通し切り込み部（７）、中央紐通し部（２）、中央紐通し部蓋（３）、中央紐通し部蓋脚部（４）、中央紐通し部蓋受部穴（５）からなる天板（１）を天板支持部（１７）により本体（８）にとりつける。本体軸回転部（１２）の下部にベアリング（１３）を設ける。地板（１４）の上に底部にベアリング（１６）を設けた本体軸回転部受部（１５）を設け、本体軸回転部（１２）を乗せる。紐（１９）の片方の端に、挟むことも引っ掛けることもできる商品取り付けクリップ（２４）を設け、一方の端に引っ張り部（２０）を設ける。紐（１９）の途中にゴムやバネなどの弾性部材（２１）および上部への滑り止め引掛り部（２２）を設ける。紐（１９）を上部への滑り止め部（９）、紐誘導凹部（１０）を通し本体（８）と天板（１）の間で各紐を束ねてねじる。さらに紐（１９）を中央紐通し部（２）、穴部への紐通し切り込み部（７）を通し、穴部（６）より商品取り付けクリップ（２４）を付けた紐の一方をぶら下げる。引っ張り部（２０）がついた紐の一方は本体（８）の途中にぶら下がるようにする。本体（８）の上部外側にカバー（２８）を天板支持部（１７）に取り付け、紐ねじり部（２３）や弾性部材（２１）、上部への滑り止め部（９）などを隠すことを特徴とするくじ引き式販売促進具である。
【発明の効果】
【０００５】  各店舗により自由に商品を商品取り付けクリップに取り付けられ、価格も自由に設定できる。他の商品は棚や箱に並べてあるだけなので本発明品に取り付けた商品は非常に目にとまりやすく、顧客はくじ引きというスリルと当たった時のお得感により引きつけられ売上の増加になる。また、売れ残りそうな商品も取り付けることにより商品が売れ残ることを防ぐことができる。
また、他のくじ、たとえばガラガラや紙の三角くじなどは、当たったときの商品を他のところに置いて、人の目を惹きつけなければならないが、本発明品は、本発明品そのものに商品を取り付けられるので場所をとらない。予備の商品は客に見せる必要がないため客の目の届く商品棚や台などの貴重なスペースを取らないで、客の目の届かないところに詰め込んでおける。また、商品は決まったものにする必要がないのでお店にある商品を適当に取り付けることもできる。また、商品が本発明品に直接ぶら下がっていることにより商品と本発明品の装置が同時に目視されるため目立ち、客の気持をそそることができる。
また、本発明品は天板を円形にしたため回転させることができ、回転させることにより引っ張り部や商品の位置関係が判らなくなり、１回限りの客でなくても使用でき、どの店にも常設できる。また、自分で回転させることができるため、ただ与えられたくじを引くという受身の姿勢でなく、くじを引く前に自分から積極的に幸運を呼ぶために回転させるという所作をできるため、より気分は高揚する。また、型が丸く回転させることによりぶら下がっている商品も回転し、メリーゴーランドを連想させ夢や幸運を感じることができ、くじを引いてみたいという気持を喚起させることができる。
また、天板が円形であるため商品を天板の周囲だけでなく内側に取り付けることも可能である。
また、本発明品は電動式のような大掛かりな装置ではないためどこにでも置ける。イベント会場やお店の特別催事のときなどの客寄せにも使えるが、日常的に各店に設置し景品としてではなく商品として販売できるため、客の本来の来店目的の売上に更に上乗せした売上を見込むことが出来る。取り付ける商品は菓子、おもちゃ、ぬいぐるみ、文具、携帯用ストラップなど種々の物を店により自由に取り付けられる。そのため、顧客対象は老若男女を問わず、ファミリーレストラン、回転ずし店、お土産屋、カラオケ店など様々な店に設置することができる。
【発明を実施するための最良の形態】
【０００６】  以下、本発明の実施の形態について説明する。
（イ）本体（８）に紐誘導凹部（１０）、上部への滑り止め部（９）、回転持ち手部（１１）、本体軸回転部（１２）を設ける。本体軸回転部（１２）の下部にはベアリング（１３）を設ける。
（ロ）本体（８）の上部に多数の穴部（６）、穴部への紐通し切り込み部（７）、中央紐通し部（２）、中央紐通し部蓋（３）、中央紐通し部蓋脚部（４）、中央紐通し部蓋受部穴（５）からなる天板（１）を天板支持部（１７）により本体（８）にとりつける。
（ハ）地板（１４）の上に底部にベアリング（１６）を設けた本体軸回転部受部（１５）を設け、本体軸回転部（１２）を差込み本体（８）を乗せる。
（ニ）紐（１９）の片方の端に、挟むことも引っ掛けることもできる商品取り付けクリップ（２４）を設け、一方の端に引っ張り部（２０）を設ける。紐（１９）の途中にゴムやバネなどの弾性部材（２１）および上部への滑り止め引掛り部（２２）を設ける。
（ホ）紐（１９）の引っ張り部（２０）が付いた方の端を本体（８）の途中にぶら下げ、上部への滑り止め部（９）に紐（１９）の上部への滑り止め引掛り部（２２）が引っ掛かるように通し、更に紐（１９）を紐誘導凹部（１０）を通し本体（８）と天板（１）の間で各紐を束ねてねじる。さらに紐（１９）を中央紐通し部（２）、穴部への紐通し切り込み部（７）へ通し、穴部（６）より商品取り付けクリップ（２４）を付けた紐（１９）の一方をぶら下げる。このとき、引っ張り部（２０）と商品取り付けクリップ（２４）との位置関係が不規則になるようにする。
（ヘ）本体上部の外側にカバー（２８）を天板支持部（１７）にネジでとりつける。
（ト）本体（８）は中空でも中空でなくてもよい。
（チ）中央紐通し部蓋脚部（４）の高さは中央紐通し部蓋受部穴（５）の深さの寸法より少し高くとり中央紐通し部蓋（３）が天板（１）につかないようにする。
（リ）上部への滑り止め部（９）の本体（８）に近い部分に紐（１９）を取り付けるときに通す為の空間をつくる。
（ヌ）紐（１９）の数を商品の大きさや形により各店で自由に選べるよう天板（１）の穴部（６）、穴部への紐通し切り込み部（７）や本体（８）の紐誘導凹部（１０）、上部への滑り止め部（９）等を多めに設けるとよい。
（ル）引っ張り部（２０）と商品取り付けクリップ（２４）の重さは、あまり差のないようにする。
（オ）紐（１９）の材質は滑りやすいものとし、紐（１９）が通る各部はなるべく丸みをおびるようにつくる。
（ワ）地板（１４）は重い材質がよい。
（カ）商品取り付けクリップ（２４）は図１７、図１８で示すように両方のクリップ片の中央に、画鋲型の商品引っ掛け部（２６）を設ける。商品引っ掛け部（２６）はごくわずかにクリップ片より突き出ているものとする。クリップ片の周囲は商品挟み部（２５）の近くを除き少し内側に湾曲させ、商品取り付けクリップ（２４）のバネの先端が周囲に引っ掛かり、バネが機能するようにする。
本発明は以上のような構成でこれを使用するときは、電動式ではないのでコンセントの必要も無く、何の工事も要らない。各店が自由に好みの商品を商品取り付けクリップ（２４）に取り付け、レジなどのそばに置くだけでよい。
客が紐（１９）の引っ張り部（２０）を下に引っ張ることにより紐の一方の、商品取り付けクリップ（２４）に取り付けられ天板（１）の穴部（６）よりぶら下がっている商品が天板（１）までもち上がり、客はその商品を買うことになる。
くじを引き終わった紐（１９）はまだ引いていない紐（１９）より引っ張り部（２０）が下がっているため区別ができる。
本体（８）と天板（１）の間で紐（１９）を束ねてねじることにより引っ張り部（２０）と商品との位置関係が判らなくなる。
紐（１９）の中間に弾性部材（２１）を設けることにより少し引っ張るだけでは商品取り付けクリップ（２４）に取り付けた商品が動かないので、引っ張り部（２０）を少し引っ張りどの商品が当たるか客が不正に探ることを防げる。また逆に上部への滑り止め部（９）を設けてあるため客が商品を引っ張り、どの引っ張り部（２０）が欲しい商品の引っ張り部（２０）かを探る不正をも防げる。
また、上部への滑り止め部（９）を設けてあるために重い商品を取り付けても商品取り付けクリップ（２４）を付けてあるほうの紐（１９）が下がってしまうことはない。引っ張り部（２０）と商品取り付けクリップ（２４）の重さが差のないようにしてあるため、引っ張らないのに引っ張り部（２０）が下がることもなく、また、くじを引いて当たった商品をとりはずしたあとに引いた紐（１９）の引っ張り部（２０）が上がってしまうこともない。
さらに紐（１９）に弾性部材（２１）を設けてあるために力強く引っ張らないと商品が動かない為、客は「くじを引いた感」を得られる。
上部への滑り止め部（９）の空間は紐（１９）を取り付けるときに通す空間であるが本体（８）に近いところに設けてあるため、客が引っ張り部（２０）を引っ張っても紐（１９）が上部への滑り止め部（９）からはずれてしまうことはない。
紐（１９）を滑りやすい材質にし、紐（１９）が通る各部を丸みをおびさせることにより紐（１９）の磨耗を少なくでき、紐（１９）の動きをスムーズにできる。
中央紐通し部蓋（３）は紐（１９）の方向を隠すためと美観を損ねない為のものであるが、中央紐通し部蓋脚部（４）の高さが中央紐通し部蓋受部穴（５）の深さの寸法より少し高くとられているため中央紐通し部蓋（３）が天板（１）につかず紐（１９）の動きが妨げられない。
また、本体（８）上部外側にカバー（２８）を取り付けることにより紐ねじり部（２３）や弾性部材（２１）、上部への滑り止め部（９）、紐誘導凹部（１０）などを隠すことができる。
また、本体軸回転部（１２）と本体軸回転部受部（１５）にベアリングを設けてあるため回転持ち手部（１１）を押すことにより本体（８）および天板（１）を回転させることができる。
商品は直接、商品取り付けクリップ（２４）に挟んでもよいが、ビニール袋などに入れるとどんなものでも取り付けやすいし、衛生的な感じがする。商品取り付けクリップ（２４）は、挟むことも引っ掛けることもできるため、袋菓子などは直接クリップに挟めるが、重いもの、厚みのあるものなど挟めない商品は商品入れ袋（３２）や商品入れ容器（３０）、（３１）などに入れて商品引っ掛け部（２６）に取り付けられる。商品取り付けクリップ（２４）の商品引っ掛け部（２６）はごくわずかしかクリップ片より突き出ていないため、クリップのデザインのようになる。たとえば花の芯のように見え、商品挟み部（２５）に商品を挟んで取り付け、商品引っ掛け部（２６）に商品を引っ掛けていなくてもおかしくない。また、商品を商品引っ掛け部（２６）に袋や容器に入れて引っ掛けて取り付けているときでも商品挟み部（２５）に挟んでいない状態になるがデザイン的におかしくない。
客が引っ張り部（２０）を引っ張ったときに本体等が動かないように地板（１４）は重い材質がよい。
【実施例１】
【０００７】  図９に示すように紐（１９）に弾性部材（２１）を使わず紐（１９）だけでも操作は可能である。しかし、不正防止がしにくく、またすぐに商品が引っ張られ、どの商品を引いたのかすぐ判ってしまいつまらない。
【実施例２】
【０００８】  図１０に示すように天板（１）に穴部（６）を設けず天板（１）の周囲に紐ガイド（３４）を設けて、商品取り付けクリップ（２４）を天板（１）よりぶら下げてもよい。紐（１９）は紐ガイド（３４）の上部に設けた空間より通す。
【実施例３】
【０００９】  図１１に示すように天板（１）に穴部（６）を天板（１）の周囲だけでなく天板（１）の内側にも設けた実施例である。商品をより多く取り付けることができる。
【実施例４】
【００１０】  図１２に示すように天板（１）を小さくした実施例である。取り付けられる商品は少なくなるがスペースをとらない。
【実施例５】
【００１１】  図１３や図１４に示すように商品取り付けクリップ（２４）に、商品を入れる商品入れ容器（３０）や（３１）などを引っ掛け商品を入れてもよい。商品の補充が簡単であるが、商品の大きさが限定される。
【実施例６】
【００１２】  商品入れ容器に替えて図１５に示すような商品入れ袋（３２）を取り付けてもよい。取り付けも簡単であり、商品入れ袋（３２）の大きさを変えれば商品の大きさも変えられる。
【実施例７】
【００１３】  図１６に示すように紐は天板（１）と本体（８）の間で束ねてねじらなくてもよい。紐を取り付けるのが簡単である。しかし、天板（１）と中央紐通し部蓋（３）の間の空間から紐（１９）の方向が見える可能性があり、商品と引っ張り部（２０）の位置関係がわかってしまう心配がある。
【実施例８】
【００１４】  図１９に示すように商品取り付けクリップ（２４）の商品引っ掛け部（２６）はクリップ片の中央に取り付けなくてもよい。例えばクリップ片の下部に取り付けてもよい。クリップ片と色を変えたりするとシンプルでかわいいデザインになる。
【実施例９】
【００１５】  図示はないが、天板支持部（１７）をネジ式にして天板（１）を取り付け天板支持部（１７）も本体（８）に穴をあけ差し込み式でとりつけると運搬時などの省スペースができる。
【図面の簡単な説明】
【００１６】
【図１】本発明のカバーをはずした側面図（天板上の紐は判りやすく図示したため天板より浮いたようになっているが実際は天板についている。商品取り付けクリップや穴部への紐通し切り込み部等を判りやすくするため一部省略している）
【図２】本発明のカバーを取り付けた側面図（天板上の紐は判りやすく図示したため天板より浮いたようになっているが実際は天板についている。商品取り付けクリップや穴部への紐通し切り込み部等を判りやすくするため一部省略している）
【図３】本発明の斜視図
【図４】天板平面図（判りやすく図示したため紐及び中央紐通し部蓋を省略している）
【図５】カバー斜視図
【図６】本体軸回転部・本体軸回転部受部断面図
【図７】上部への滑り止め部平面図
【図８】中央紐通し部断面図
【図９】［図１］の弾性部材を取り付けない紐のみの実施例側面図
【図１０】穴部を紐ガイドに替えた天板実施例斜視図
【図１１】天板の周囲だけでなく内側にも穴部を設けた天板平面図（判りやすく図示したため紐及び中央紐通し部蓋を省略している）
【図１２】天板を小さくした実施例側面図（天板上の紐は判りやすく図示したため天板より浮いたようになっているが実際は天板についている。商品取り付けクリップや穴部への紐通し切り込み部等を判りやすくするため一部省略している）
【図１３】商品取り付けクリップに商品入れ容器を取り付けた実施例一部切り欠き斜視図
【図１４】［図１３］の商品入れ容器を替えた実施例一部切り欠き斜視図
【図１５】商品入れ袋実施例側面図
【図１６】紐を天板と本体の間でねじらない実施例側面図（天板上の紐は判りやすく図示したため天板より浮いたようになっているが実際は天板についている。商品取り付けクリップや穴部への紐通し切り込み部等を判りやすくするため一部省略している）
【図１７】商品取り付けクリップ正面図
【図１８】商品取り付けクリップ側面図
【図１９】商品取り付けクリップ実施例正面図
【図２０】商品を取り付けた実施例の側面図（天板上の紐は判りやすく図示したため天板より浮いたようになっているが実際は天板についている。商品取り付けクリップや穴部への紐通し切り込み部等を判りやすくするため一部省略している）
【符号の説明】
【００１７】  １  天板
２  中央紐通し部
３  中央紐通し部蓋
４  中央紐通し部蓋脚部
５  中央紐通し部蓋受部穴
６  穴部
７  穴部への紐通し切り込み部
８  本体
９  上部への滑り止め部
１０  紐誘導凹部
１１  回転持ち手部
１２  本体軸回転部
１３  ベアリング
１４  地板
１５  本体軸回転部受部
１６  ベアリング
１７  天板支持部
１８  カバー取り付け部
１９  紐
２０  引っ張り部
２１  弾性部材
２２  上部への滑り止め引掛り部
２３  紐ねじり部
２４  商品取り付けクリップ
２５  商品挟み部
２６  商品引っ掛け部
２７  紐通し穴
２８  カバー
２９  取り付け穴
３０  商品入れ容器
３１  商品入れ容器
３２  商品入れ袋
３３  引っ掛け穴
３４  紐ガイド
【図１】
2008097563.tif 000003
【図２】
2008097563.tif 000004
【図３】
2008097563.tif 000005
【図４】
2008097563.tif 000006
【図５】
2008097563.tif 000007
【図６】
2008097563.tif 000008
【図７】
2008097563.tif 000009
【図８】
2008097563.tif 000010
【図９】
2008097563.tif 000011
【図１０】
2008097563.tif 000012
【図１１】
2008097563.tif 000013
【図１２】
2008097563.tif 000014
【図１３】
2008097563.tif 000015
【図１４】
2008097563.tif 000016
【図１５】
2008097563.tif 000017
【図１６】
2008097563.tif 000018
【図１７】
2008097563.tif 000019
【図１８】
2008097563.tif 000020
【図１９】
2008097563.tif 000021
【図２０】
2008097563.tif 000022